(57)【要約】【課題】ネットワーク接続非対応周辺機器の制御と管理の柔軟性を高めることができるような、ネットワークインターフェースの変換システムを提供する。【解決手段】ネットワーク接続非対応周辺機器と、リモートコントロール設備と、ネットワークインターフェース変換装置とを含むネットワークインターフェースの変換システムにおいて、ネットワークインターフェース変換装置が、ネットワーク接続非対応周辺機器に接続されるように用いられるネットワーク非接続インターフェースと、ネットワークを通じてリモートコントロール設備に接続されるように用いられるネットワーク接続インターフェースと、所定のコマンドを決定するコマンド制御ユニットと、前記コマンドを前記ネットワーク接続インターフェースを経て前記リモートコントロール設備に伝送する処理ユニットとを含む。【選択図】図１
2011166587.tif 000002
【特許請求の範囲】
【請求項１】
少なくとも１つのネットワーク接続非対応周辺機器と、
リモートコントロール設備と、
ネットワークインターフェース変換装置とを含むネットワークインターフェースの変換システムであって、
前記ネットワークインターフェース変換装置は、
前記少なくとも１つのネットワーク接続非対応周辺機器に接続されるように用いられる少なくとも１つのネットワーク非接続インターフェースと、
ネットワークを通じて前記リモートコントロール設備に接続されるように用いられるネットワーク接続インターフェースと、
所定のコマンドを決定するコマンド制御ユニットと、
前記コマンドを前記ネットワーク接続インターフェースを経て前記リモートコントロール設備に伝送する処理ユニットと、を含むネットワークインターフェースの変換システム。
【請求項２】
前記リモートコントロール設備は、前記コマンドに基づいてネットワークプロトコルをベースとした第１制御データを生成し、且つ前記第１制御データを前記ネットワークを通じて前記ネットワークインターフェース変換装置に伝送し、
前記ネットワークインターフェース変換装置の前記処理ユニットは、前記第１制御データを前記ネットワーク接続非対応周辺機器の特定のフォーマットに適合する第２制御データに変換し、前記第２制御データを前記ネットワーク非接続インターフェースを経て前記ネットワーク接続非対応周辺機器に伝送し、
前記ネットワーク接続非対応周辺機器は、前記第２制御データに基づいて動作する請求項１に記載のネットワークインターフェースの変換システム。
【請求項３】
前記少なくとも１つのネットワーク接続非対応周辺機器は、第１ネットワーク接続非対応周辺機器と第２ネットワーク接続非対応周辺機器とを含み、
前記ネットワークインターフェース変換装置は、前記第１ネットワーク接続非対応周辺機器と前記第２ネットワーク接続非対応周辺機器との中から１つを選択するように用いられるインターフェース選択ユニットを更に含み、
前記処理ユニットは、前記第１制御データを、選択した前記ネットワーク接続非対応周辺機器の特定のフォーマットに適合する第２制御データに変換し、前記第２制御データを前記ネットワーク非接続インターフェースを経て前記ネットワーク接続非対応周辺機器に伝送する請求項２に記載のネットワークインターフェースの変換システム。
【請求項４】
前記コマンド制御ユニットは、前記ネットワークインターフェース変換装置に設けられたボタンによって操作が行われる請求項１〜３のいずれかに記載のネットワークインターフェースの変換システム。
【請求項５】
前記ネットワークインターフェース変換装置は、前記コマンドを表示する表示ユニットを更に含む請求項１〜４のいずれかに記載のネットワークインターフェースの変換システム。
【請求項６】
ネットワークインターフェース変換装置に用いられるネットワークインターフェースの変換方法であって、
前記ネットワークインターフェース変換装置は、少なくとも１つのネットワーク非接続インターフェースを経て少なくとも１つのネットワーク接続非対応周辺機器に接続され、且つネットワーク接続インターフェースによってネットワークを通じてリモートコントロール設備に接続されており、
前記ネットワークインターフェース変換装置のコマンド制御ユニットが、所定のコマンドを決定するステップと、
前記ネットワークインターフェース変換装置の処理ユニットが、前記コマンドを前記ネットワーク接続インターフェースを経て前記リモートコントロール設備に伝送するステップと、を含むネットワークインターフェースの変換方法。
【請求項７】
前記リモートコントロール設備が、前記コマンドに基づいてネットワークプロトコルをベースとした第１制御データを生成し、前記第１制御データを前記ネットワークを通じて前記ネットワークインターフェース変換装置に伝送するステップと、
前記処理ユニットが、前記第１制御データを前記ネットワーク接続非対応周辺機器の特定のフォーマットに適合する第２制御データに変換するステップと、
前記処理ユニットが、前記第２制御データを前記ネットワーク非接続インターフェースを経て前記ネットワーク接続非対応周辺機器に伝送することにより、前記ネットワーク接続非対応周辺機器に、前記第２制御データに基づいて動作させるステップと、を更に含む請求項６に記載のネットワークインターフェースの変換方法。
【請求項８】
前記ネットワークインターフェース変換装置のインターフェース選択ユニットが、前記少なくとも１つのネットワーク接続非対応周辺機器に含まれる第１ネットワーク接続非対応周辺機器と第２ネットワーク接続非対応周辺機器との中から１つを選択するステップと、
前記処理ユニットが、前記第１制御データを選択した前記ネットワーク接続非対応周辺機器の特定のフォーマットに適合する第２制御データに変換するステップと、
前記処理ユニットが、前記第２制御データを前記ネットワーク非接続インターフェースを経て選択した前記ネットワーク接続非対応周辺機器に伝送するステップと、を更に含む請求項７に記載のネットワークインターフェースの変換方法。
【請求項９】
少なくとも１つのネットワーク接続非対応周辺機器に接続されるように用いられる少なくとも１つのネットワーク非接続インターフェースと、
ネットワークを通じてリモートコントロール設備に接続されるように用いられるネットワーク接続インターフェースと、
所定のコマンドを決定するコマンド制御ユニットと、
前記コマンドを前記ネットワーク接続インターフェースを経て前記リモートコントロール設備に伝送する処理ユニットと、を含むネットワークインターフェース変換装置。
【請求項１０】
前記処理ユニットは、
前記ネットワーク接続インターフェースを経て接続された前記リモートコントロール設備より、ネットワークプロトコルをベースとして生成された第１制御データを受け、
前記第１制御データを前記ネットワーク接続非対応周辺機器の特定のフォーマットに適合する第２制御データに変換し、
前記第２制御データを前記ネットワーク非接続インターフェースを経て前記ネットワーク接続非対応周辺機器に伝送して、前記ネットワーク接続非対応周辺機器に前記第２制御データに基づいて動作させる請求項９に記載のネットワークインターフェース変換装置。
【請求項１１】
前記少なくとも１つのネットワーク接続非対応周辺機器に含まれる第１ネットワーク接続非対応周辺機器と第２ネットワーク接続非対応周辺機器との中から１つを選択するように用いられるインターフェース選択ユニットを更に含み、
前記処理ユニットは、
前記第１制御データを選択した前記ネットワーク接続非対応周辺機器の特定のフォーマットに適合する第２制御データに変換し、
前記第２制御データを前記ネットワーク非接続インターフェースを経て選択した前記ネットワーク接続非対応周辺機器に伝送する請求項１０に記載のネットワークインターフェース変換装置。
【発明の詳細な説明】
【技術分野】
【０００１】
本発明は、ネットワークインターフェースの変換システム及び変換方法に関し、特に、ネットワークインターフェース変換装置によってネットワーク接続に対応していない周辺機器とネットワーク接続に対応している装置との間でデータのフォーマットを変換し、且つネットワークインターフェース変換装置を用いて所定のコマンドを決定するとともに、コマンドをリモートコントロール装置に伝送してその管理を行うシステム、方法、およびそのネットワークインターフェース変換装置に関するものである。
【背景技術】
【０００２】
ネットワーク接続に対応していない通信インターフェース、例えばＲＳ−２３２、ＲＳ−４２２、ＲＳ−４８５等のインターフェースや、パラレルインターフェースなどは、コンピュータと周辺機器とが相互に接続できるように、コンピュータと周辺機器との間に位置するように設計される。一般的に、ネットワーク接続に対応していない通信インターフェースを経由した接続による通信距離は有限であるため、管理者は、ネットワーク接続に対応していないコンピュータと周辺機器の付近で、その周辺機器の制御を行わなければならない。
【０００３】
通信技術の進歩に伴って、ネットワークの構造は普遍的に発展してきた。このため、ネットワーク接続に対応していない周辺機器は、ネットワーク接続に対応した規格に変換されることができれば、その通信距離は相応に増加し、且つ周辺機器を管理する点においても柔軟性を高めることができるようになる。現在、市場に存在しているのは、シリアルポートとネットワーク間のデータの変換を行うインターフェース変換装置である。一般的に、そのようなインターフェース変換装置は、受動的且つ単純にシリアルインターフェースとネットワーク接続インターフェース間における変換を提供することしかできない。また、そのようなインターフェース変換装置は、周辺機器の管理という観点では、如何なるサポートも提供していない。このような状況においては、管理者は、ネットワークを通じて周辺装置を制御したり、管理したりすることができない。
【発明の概要】
【発明が解決しようとする課題】
【０００４】
これに鑑みて、本発明は、ネットワーク接続非対応周辺機器の制御と管理の柔軟性を高めることができるような、ネットワークインターフェースの変換システムと変換方法、およびネットワークインターフェース変換装置を提供することを目的とする。
【課題を解決するための手段】
【０００５】
上記目的を達成するために、本発明のネットワークインターフェースの変換システムは、少なくとも１つのネットワーク接続非対応周辺機器、リモートコントロール設備と、ネットワークインターフェース変換装置を含む。ネットワークインターフェース変換装置は、少なくとも１つのネットワーク非接続インターフェース、ネットワーク接続インターフェース、コマンド制御ユニットと、処理ユニットを含む。ネットワーク非接続インターフェースは、ネットワーク接続非対応周辺機器に接続するように用いられる。ネットワーク接続インターフェースは、ネットワークを通じてリモートコントロール設備に接続されるように用いられる。コマンド制御ユニットは、所定のコマンドを決定する。処理ユニットは、コマンドをネットワーク接続インターフェースを経てリモートコントロール設備に伝送する。
【０００６】
また、本発明のネットワークインターフェースの変換方法は、ネットワークインターフェース変換装置に用いられる。ネットワークインターフェース変換装置は、少なくとも１つのネットワーク非接続インターフェースを経て少なくとも１つのネットワーク接続非対応周辺機器に接続され、ネットワーク接続インターフェースを経てネットワークを通じてリモートコントロール設備に接続される。まず、ネットワークインターフェース変換装置のコマンド制御ユニットによって所定のコマンドを決定する。続いて決定したコマンドをネットワーク接続インターフェースを経てリモートコントロール設備に伝送する。
【０００７】
更に、本発明において、リモートコントロール設備は、コマンドに基づいてネットワークプロトコルをベースとした第１制御データを生成し、第１制御データをネットワークを通じてネットワークインターフェース変換装置に伝送する。ネットワークインターフェース変換装置の処理ユニットは、第１制御データをネットワーク接続非対応周辺機器の特定のフォーマットに適合する第２制御データに変換し、第２制御データをネットワーク非接続インターフェースを経てネットワーク接続非対応周辺機器に伝送することができる。ネットワーク接続非対応周辺機器は、第２制御データに基づいて動作することができる。
【０００８】
本発明において、ネットワークインターフェース変換装置は、第１ネットワーク接続非対応周辺機器と第２ネットワーク接続非対応周辺機器の中から１つを選択するように用いられるインターフェース選択ユニットを更に含むことができる。処理ユニットは、第１制御データを、インターフェース選択ユニットによって選択されたネットワーク接続非対応周辺機器の特定のフォーマットに適合する第２制御データに変換し、第２制御データをネットワーク非接続インターフェースを経て選択されたネットワーク接続非対応周辺機器に伝送する。
【０００９】
本発明において、ネットワーク接続非対応周辺機器は、例えば、シリアル装置やパラレル装置であってもよい。また、本発明において、ネットワーク非接続インターフェースは、例えば、ＲＳ−２３２インターフェース、ＲＳ−４２２インターフェース、ＲＳ−４８５インターフェース、またはパラレルポートインターフェースであってもよい。
【００１０】
本発明において、ネットワーク接続インターフェースは、例えば、有線接続インターフェース、または無線接続インターフェースであってもよい。
【００１１】
本発明において、有線接続インターフェースは、例えば、ＲＪ４５のネットワークインターフェース、または光ファイバー接続インターフェースであってもよい。無線接続インターフェースは、例えば、ＩＥＥＥ８０２．１１等の無線ＬＡＮインターフェース、ブルートゥースインターフェース、またはジグビー（ＺｉｇＢｅｅ）インターフェースであってもよい。
【発明の効果】
【００１２】
本発明のネットワークインターフェースの変換システム、方法、およびそのネットワークインターフェース変換装置によれば、ネットワーク接続に対応していない周辺機器とネットワーク接続に対応している装置の間でデータのフォーマットを変換し、且つネットワークインターフェース変換装置を用いて所定のコマンドを決定し、そのコマンドをリモートコントロール装置に伝送してその管理を行うことで、ネットワーク接続非対応周辺機器の通信距離を伸ばし、且つそのような周辺機器の制御と管理の柔軟性を高めることができる。
【図面の簡単な説明】
【００１３】
【図１】本発明の第一の実施例に係るネットワークインターフェースの変換システムを表す概略図である。
【図２】本発明の第二の実施例に係るネットワークインターフェースの変換システムを表す概略図である。
【図３】本発明の第一の実施例に係るネットワークインターフェースの変換方法を表すフローチャートである。
【発明を実施するための形態】
【００１４】
本発明についての目的、特徴、長所が一層明確に理解されるよう、以下に実施形態を例示し、図面を参照しながら、詳細に説明する。
【００１５】
図１は、本発明の第一の実施例に係るネットワークインターフェースの変換システムを表す概略図である。
【００１６】
本発明の第一の実施例に係るネットワークインターフェースの変換システムは、ネットワーク接続非対応周辺機器１００、ネットワークインターフェース変換装置２００と、リモートコントロール設備３００を含む。本実施例では、ネットワーク接続非対応周辺機器１００は、シリアル装置であってもパラレル装置であってもよい。ネットワークインターフェース変換装置２００は、ネットワーク非接続インターフェース２１０、ネットワーク接続インターフェース２２０、コマンド制御ユニット２３０と、処理ユニット２４０を含む。ネットワーク非接続インターフェース２１０は、ネットワーク接続非対応周辺機器１００と接続を行うように用いられる。ネットワーク非接続インターフェース２１０としては、例えば、ＲＳ−２３２インターフェース、ＲＳ−４２２インターフェース、ＲＳ−４８５インターフェース、またはパラレルポートインターフェース等が挙げられる。ネットワーク接続インターフェース２２０は、ネットワークプロトコルをベースとしたネットワークインターフェースであり、ネットワーク４００によってリモートコントロール設備３００と接続を行うように用いられる。ネットワーク接続インターフェース２２０は、有線接続インターフェースであっても無線接続インターフェースであってもよい。有線接続インターフェースとしては、例えば、ＲＪ４５ネットワークインターフェース、光ファイバ接続インターフェース等が挙げられる。無線接続インターフェースとしては、例えば、ＩＥＥＥ８０２．１１等の無線ＬＡＮインターフェース、ブルートゥースインターフェース、またはジグビー（ＺｉｇＢｅｅ）インターフェース等が挙げられる。なお、上述の有線／無線接続インターフェースは、本発明の例のために挙げただけであり、これらに限定されるものではない。コマンド制御ユニット２３０は、所定のコマンドを決定するために用いられる。本実施例では、コマンド制御ユニット２３０は、ネットワークインターフェース変換装置２００に設けられたボタンによって操作が行われる。本実施例では、ボタンを押す回数と押している時間の長さに応じて既定のコマンドを決定することができるが、これに限られるものではなく、例えば、複数のボタンの中の１つのボタンが押されることにより、押されたボタンに対応するコマンドが選択／決定されてもよい。なお、上述のコマンド制御ユニット２３０の操作方式は、本発明の例のために挙げただけであり、これらに限定されるものではない。なお、本実施例に係るネットワークインターフェース変換装置２００は、コマンド制御ユニット２３０が決定したコマンドの表示を行うのに用いられる表示ユニット（図示せず）を更に含むことができる。処理ユニット２４０は、コマンド制御ユニット２３０が決定したコマンドをネットワーク接続インターフェース２２０を経てネットワーク４００を通じてリモートコントロール設備３００に伝送する。リモートコントロール設備３００は、ネットワークインターフェース変換装置２００より受けたコマンドに基づいて制御データを生成し、且つ制御データをネットワークインターフェース変換装置２００に伝送し返し、ネットワーク接続非対応周辺機器１００に対してその管理と制御を行うことができる。
【００１７】
図２は、本発明の第二の実施例に係るネットワークインターフェースの変換システムを表す概略図である。
【００１８】
本発明の実施例に基づいたネットワークインターフェースの変換システムは、ネットワーク接続非対応周辺機器１１０および１２０、ネットワークインターフェース変換装置２００と、リモートコントロール設備３００を含む。本実施例では、ネットワーク接続非対応周辺機器１１０および１２０は、シリアル装置であっても、パラレル装置であってもよい。ネットワークインターフェース変換装置２００は、ネットワーク非接続インターフェース２１１および２１２、ネットワーク接続インターフェース２２０、コマンド制御ユニット２３０、処理ユニット２４０、インターフェース選択ユニット２５０を含む。ネットワーク非接続インターフェース２１１および２１２は、ネットワーク接続非対応周辺機器１１０および１２０にそれぞれ接続を行うように用いられる。ネットワーク非接続インターフェース２１１および２１２としては、ＲＳ−２３２インターフェース、ＲＳ−４２２インターフェース、ＲＳ−４８５インターフェース、またはパラレルポートインターフェース等が挙げられる。ネットワーク接続非対応周辺機器１１０がシリアル装置のとき、ネットワーク非接続インターフェース２１１は、ＲＳ−２３２インターフェース、ＲＳ−４２２インターフェース、およびＲＳ−４８５インターフェースの中の１つであることができる。また、ネットワーク接続非対応周辺機器１１０がパラレル装置のとき、ネットワーク非接続インターフェース２１１は、パラレルポートインターフェースであることができる。同様に、ネットワーク接続非対応周辺機器１２０がシリアル装置のとき、ネットワーク非接続インターフェース２１２は、ＲＳ−２３２インターフェース、ＲＳ−４２２インターフェース、およびＲＳ−４８５インターフェースの中の１つであることができる。また、ネットワーク接続非対応周辺機器１２０がパラレル装置のとき、ネットワーク非接続インターフェース２１２は、パラレルポートインターフェースであることができる。ネットワーク接続インターフェース２２０は、ネットワークプロトコルをベースとしたネットワークインターフェースであり、ネットワーク４００を通じてリモートコントロール設備３００と接続を行うように用いられる。ネットワーク接続インターフェース２２０は、有線接続インターフェースであっても、無線接続インターフェースであってもよい。有線接続インターフェースとしては、例えば、ＲＪ４５ネットワークインターフェースや、光ファイバー接続インターフェース等が挙げられる。無線接続インターフェースとしては、例えば、ＩＥＥＥ８０２．１１等の無線ＬＡＮインターフェース、ブルートゥースインターフェース、またはジグビー（ＺｉｇＢｅｅ）インターフェース等が挙げられる。なお、上述の有線／無線接続インターフェースは、本発明の例のために挙げただけであり、これらに限定されるものではない。コマンド制御ユニット２３０は、所定のコマンドを決定するために用いられる。本実施例では、コマンド制御ユニット２３０は、ネットワークインターフェース変換装置２００に設けられたボタンによって操作が行われる。本実施例では、ボタンを押す回数と押している時間の長さに応じて既定のコマンドを決定することができるが、これに限られるものではなく、例えば、複数のボタンの中の１つのボタンが押されることにより、押されたボタンに対応するコマンドが選択／決定されてもよい。なお、上述のコマンド制御ユニット２３０の操作方式は、本発明の例のために挙げただけであり、これらに限定されるものではない。なお、本実施例に係るネットワークインターフェース変換装置２００は、コマンド制御ユニット２３０が決定したコマンドの表示を行うのに用いられる表示ユニット（図示せず）を更に含むことができる。処理ユニット２４０は、コマンド制御ユニット２３０が決定したコマンドをネットワーク接続インターフェース２２０を経てネットワーク４００を通じてリモートコントロール設備３００に伝送する。リモートコントロール設備３００は、ネットワークインターフェース変換装置２００より受けたコマンドに基づいて制御データを生成し、且つ制御データをネットワークインターフェース変換装置２００に伝送し返し、ネットワーク非接続インターフェース２１１または２１２を経てネットワーク接続非対応周辺機器１１０または１２０に対してその管理と制御を行うことができる。インターフェース選択ユニット２５０は、ネットワーク非接続インターフェース２１１および２１２の中から１つを選択する。選択されたネットワーク非接続インターフェースは有効にされ、そのネットワーク非接続インターフェースを経て接続されたネットワーク接続非対応周辺機器に対して管理が行われる。インターフェース選択ユニット２５０は、ボタン式切り替え器を用いて操作するものでもよいし、スイッチ式切り替え器を用いて操作するものでもよい。
【００１９】
図３は、本発明の第一の実施例に係るネットワークインターフェースの変換方法を表すフローチャートである。図３に基づいて、本実施例に係るネットワークインターフェースの変換方法を説明する。
【００２０】
まず、ネットワークインターフェース変換装置２００のコマンド制御ユニット２３０によってコマンドが決定される（Ｓ３１００）。本実施例では、コマンド制御ユニット２３０は、ネットワークインターフェース変換装置２００に設けられたボタンによって操作が行われる。本実施例では、ボタンを押す回数と押している時間の長さに応じて既定のコマンドを決定することができるが、これに限られるものではなく、例えば、複数のボタンの中の１つのボタンが押されることにより、押されたボタンに対応するコマンドが選択／決定されてもよい。次に、ネットワークインターフェース変換装置２００は、決定したコマンドをネットワーク接続インターフェース２２０を経てネットワーク４００を通じてリモートコントロール設備３００に伝送する（Ｓ３２００）。コマンドを受けた後、リモートコントロール設備３００は、コマンドに基づいてネットワークプロトコルをベースとした第１制御データを生成し（Ｓ３３００）、生成した第１制御データをネットワーク４００を通じてネットワークインターフェース変換装置２００に伝送し返す（Ｓ３４００）。第１制御データを受けた後、ネットワークインターフェース変換装置２００は、第１制御データをネットワーク接続非対応周辺機器１００の特定のフォーマットに適合する第２制御データに変換する（Ｓ３５００）。変換後の第２制御データは、ネットワーク非接続インターフェース２１０を経てネットワーク接続非対応周辺機器１００に伝送される（Ｓ３６００）。第２制御データを受けた後、ネットワーク接続非対応周辺機器１００は、第２制御データに基づいて作業を実行する（Ｓ３７００）。例えば、ネットワーク接続非対応周辺機器１００がプリンターの場合、第２制御データに基づいて印刷などの動作を行うことになる。
【００２１】
上述した第二の実施例のように、ネットワークインターフェース変換装置２００は、複数のネットワーク非接続インターフェースの中から１つを選択するインターフェース選択ユニット２５０を更に含むことができる。この場合、ネットワークインターフェース変換装置２００は、第１制御データを、インターフェース選択ユニット２５０によって選択されたネットワーク非接続インターフェースに対応するネットワーク接続非対応周辺機器のフォーマットに適合する第２制御データに変換し、且つ変換後の第２制御データを、選択されたネットワーク非接続インターフェースに対応するネットワーク接続非対応周辺機器に伝送することとなる。
【００２２】
なお、コマンドに対応した第１制御データに対してその変換を行う以外に、ネットワークインターフェース変換装置２００は、リモートコントロール設備３００とネットワーク接続非対応周辺機器１００間のデータを変換することもできる。例えば、ネットワークインターフェース変換装置２００は、ネットワーク接続インターフェース２２０を経てリモートコントロール設備３００よりネットワークプロトコルをベースとしたデータを受け、当該データを対応のネットワーク接続非対応周辺機器１００のフォーマットに適合するデータに変換し、変換後のデータをネットワーク非接続インターフェース２１０を経てネットワーク接続非対応周辺機器１００に伝送することができるものとしてもよい。また、ネットワークインターフェース変換装置２００は、ネットワーク非接続インターフェース２１０を経てネットワーク接続非対応周辺機器１００より特定のフォーマットのデータを受け、受けたデータをネットワークプロトコルをベースとしたデータに適合するように変換し、且つ変換後のデータをネットワーク接続インターフェース２２０を経てリモートコントロール設備３００に伝送することができるものとしてもよい。
【００２３】
本発明の方法、または特定の形態あるいはその形態の一部分は、プログラムコードとして存在してもよい。プログラムコードは、例えば、フレキシブルディスク、コンパクトディスク、ハードディスク、何らかの機器が読み取ることができる（例えばコンピュータが読み取りできる）保存媒体などの物理的な媒体に格納されているものであってもよいし、外部形式に限らずコンピュータ内に格納されるプログラム製品などであってもよい。プログラムコードが何らかの機器、例えばコンピュータにロードされ、且つ実行されたとき、このコンピュータは本発明を実行する装置として用いられるようになる。また、プログラムコードが何らかの伝送媒体、例えば電線・電纜（ケーブル）、光ファイバ、その他のあらゆる伝送手段によって伝送され、プログラムコードが何らかの機器、例えばコンピュータに受信され、ロードされ、且つ実行されたときも、このコンピュータは本発明を実行する装置として用いられるようになる。一般用途の処理装置（例えば汎用コンピュータ）でプログラムコードが実行されれば、プログラムコードが処理ユニットと結合することにより、特有の論理回路を有する専用ユニットと同じような操作ができる装置が提供されることになる。
【００２４】
以上、本発明の好適な実施例を例示したが、これは本発明の理解を容易にするために記載されたものであって、本発明を限定するものではない。したがって、上記実施形態に開示された各要素は、本発明の技術的範囲に属する全ての設計変更や均等物をも含む趣旨である。
【符号の説明】
【００２５】
１００、１１０、１２０…ネットワーク接続非対応周辺機器
２００…ネットワークインターフェース変換装置
２１０、２１１、２１２…ネットワーク非接続インターフェース
２２０…ネットワーク接続インターフェース
２３０…コマンド制御ユニット
２４０…処理ユニット
２５０…インターフェース選択ユニット
３００…リモートコントロール設備
４００…ネットワーク
【図１】
2011166587.tif 000003
【図２】
2011166587.tif 000004
【図３】
2011166587.tif 000005